(57)【要約】【課題】顧客の利用状況に応じて撮影からプリント出力までの一連の処理に係る設定条件を調整可能とする。【解決手段】制御部１１では、センサＳから顧客の検出情報が入力されると、前回の顧客の撮影が終了してから次回の顧客の入室までの経過時間が算出され、この経過時間に基づいて、撮影からプリント出力までの一連の処理において撮り直しの制限回数、顧客による操作指示に対する待ち時間が基本設定条件に設定される通常モード、基本設定条件より撮り直しの制限回数が多く、顧客による設定操作の待ち時間が長く設定される空きモード、基本設定条件より撮り直しの制限回数が少なく、顧客による設定操作の待ち時間が短く設定される混雑モードのうち、一の撮影モードが選択され、設定される。【選択図】図２
2005301037.tif 000002
【特許請求の範囲】
【請求項１】
顧客による操作指示に従って、顧客を撮影し、その撮影画像をプリント出力する写真撮影装置において、
顧客による写真撮影装置の利用状況を検出する検出手段と、
前記検出された利用状況の情報に基づいて、撮影からその撮影画像のプリント出力までの一連の処理に係る設定条件を変更する制御手段と、
を備えることを特徴とする写真撮影装置。
【請求項２】
前記写真撮影装置は、顧客による撮り直しの操作指示に応じて再撮影可能であり、
前記制御手段は、前記検出された利用状況の情報に基づいて写真撮影装置の利用率が高いと判断された場合、撮り直し可能な回数の設定条件を基本設定条件より少ない回数に変更し、写真撮影装置の利用率が低いと判断された場合、撮り直し可能な回数の設定条件を基本設定条件より多い回数に変更することを特徴とする請求項１に記載の写真撮影装置。
【請求項３】
前記制御手段は、前記検出された利用状況の情報に基づいて写真撮影装置の利用率が高いと判断された場合、顧客による操作指示に対する待ち時間の設定条件を基本設定条件より短い時間に変更し、写真撮影装置の利用率が低いと判断された場合、顧客による操作指示に対する待ち時間の設定条件を基本設定条件より長い時間に変更することを特徴とする請求項１に記載の写真撮影装置。
【発明の詳細な説明】
【技術分野】
【０００１】
本発明は、パスポートや履歴書等に使用される証明写真や、ポートレート、記念写真等を撮影する写真撮影装置に関する。
【背景技術】
【０００２】
従来から、免許証やパスポート、履歴書等に貼付するような証明写真等を撮影するためのボックス型の写真撮影装置が普及しており、街頭や店頭に設置されている。このような写真撮影装置では、撮影ボックス内に顧客が入り、ガイドに従って顧客自らが撮影操作することにより、簡単にかつ短時間でプリント写真を得ることができる。
【０００３】
上記写真撮影装置では、顧客が正面を向いていなかったり、目つぶりしている場合が想定されるため、撮り直しができるように設定されている。また、顧客が複数撮影された撮影画像のうち所望の撮影画像を選択する際や、選択された撮影画像を最終的にプリント出力するか否かを選択する際には、その選択操作を待機する時間が予め定められており、この待ち時間が経過すると装置側で自動的に任意の撮影画像を選択したり、プリント処理に移行したりと、強制的に次の処理に移行するように設定されている。このような撮り直し可能な回数、操作指示の待ち時間等は、装置設置時にオペレータが予め設定することとなっていた。
【０００４】
しかしながら、上記写真撮影装置はその設置場所や時間帯により顧客の利用率が異なる。例えば、駅周辺に設置された写真撮影装置の場合、昼間の時間帯には利用率が非常に高いが、深夜には利用率は低くなる。それにも拘わらず、上述したように撮り直し回数や操作指示の待ち時間等、撮影からプリント出力までの一連の処理に係る設定条件を一律とすると、常に同じサイクルで撮影からプリント出力までの処理が行われることとなり写真撮影装置の稼働率が上がらない。
【０００５】
従来から、このような混雑時に対応するために、利用者により次の処理にすすむよう指示されると、強制的に次の処理に移行する方法が提案されている（例えば特許文献１参照）。
【特許文献１】特開２００３−２０３２７２号公報
【発明の開示】
【発明が解決しようとする課題】
【０００６】
しかしながら、上記特許文献１に記載の方法では、利用者の指示が無ければやはり常に同じサイクルで処理が行われ、根本的な問題解決とはならない。特に、顧客の利用率が多く混雑している状況下では、撮り直し可能な回数や操作指示の待ち時間の設定条件によって、他の顧客の待ち時間が長くなる場合もあり、顧客に不満感を与えて営業機会を逃してしまうことも考えられる。
【０００７】
本発明の課題は、顧客の利用状況に応じて撮影からプリント出力までの一連の処理に係る設定条件を調整可能とすることである。
【課題を解決するための手段】
【０００８】
請求項１に記載の発明は、写真撮影装置において、
顧客による操作指示に従って、顧客を撮影し、その撮影画像をプリント出力する写真撮影装置において、
顧客による写真撮影装置の利用状況を検出する検出手段と、
前記検出された利用状況の情報に基づいて、撮影からその撮影画像のプリント出力までの一連の処理に係る設定条件を変更する制御手段と、
を備えることを特徴とする。
【０００９】
請求項２に記載の発明は、請求項１に記載の写真撮影装置において、
前記写真撮影装置は、顧客による撮り直しの操作指示に応じて再撮影可能であり、
前記制御手段は、前記検出された利用状況の情報に基づいて写真撮影装置の利用率が高いと判断された場合、撮り直し可能な回数の設定条件を基本設定条件より少ない回数に変更し、写真撮影装置の利用率が低いと判断された場合、撮り直し可能な回数の設定条件を基本設定条件より多い回数に変更することを特徴とする。
【００１０】
請求項３に記載の発明は、請求項１に記載の写真撮影装置において、
前記制御手段は、前記検出された利用状況の情報に基づいて写真撮影装置の利用率が高いと判断された場合、顧客による操作指示に対する待ち時間の設定条件を基本設定条件より短い時間に変更し、写真撮影装置の利用率が低いと判断された場合、顧客による操作指示に対する待ち時間の設定条件を基本設定条件より長い時間に変更することを特徴とする。
【発明の効果】
【００１１】
請求項１に記載の発明によれば、写真撮影装置の利用状況の情報に基づいて撮影からその撮影画像のプリント出力までの一連の処理に係る設定条件を変更するので、例えば利用率が高い場合には撮り直し可能な回数や操作指示に対する待ち時間を通常撮影における基本設定条件より減じるように設定条件を変更して一連の処理に要する時間を短縮化し、顧客の待ち時間を減少させたり、利用率が低い場合には撮り直し可能な回数や操作指示に対する待ち時間を基本設定条件より増加させるように設定条件を変更して、顧客の撮影操作に余裕を持たせたりすることができる。従って、写真撮影装置の設置場所や時間帯によって変動する利用状況に対応して稼動することができ、写真撮影装置の稼働率を向上させることができる。
【００１２】
請求項２に記載の発明によれば、写真撮影装置の利用率が高い場合には撮り直し可能な回数を減じさせるので、撮影からプリント出力までの一連の処理に要する時間を全体的に短縮化して顧客の待ち時間を減少させることができるとともに、写真撮影装置の稼働率を向上させることができる。一方、利用率が低い場合には撮り直し可能な回数を増加させるので、顧客は余裕を持って撮影操作することができ、写真撮影装置に対する顧客の満足度を向上させることができる。
【００１３】
請求項３に記載の発明によれば、写真撮影装置の利用率が高い場合には操作指示の待ち時間を減じさせるので、撮影からプリント出力までの一連の処理に要する時間を全体的に短縮化して顧客の待ち時間を減少させることができるとともに、写真撮影装置の稼働率を向上させることができる。一方、利用率が低い場合には操作指示の待ち時間を増加させるので、顧客は余裕を持って撮影操作することができ、写真撮影装置に対する顧客の満足度を向上させることができる。
【発明を実施するための最良の形態】
【００１４】
本実施の形態では、写真撮影装置の撮影モードとして、撮影からプリント出力までの一連の処理に係る設定条件を基本設定条件に設定する通常モード、基本設定条件より撮り直し可能な回数、操作指示の待ち時間が少なく設定する混雑モード、基本設定条件より撮り直し可能な回数、操作指示の待ち時間が多く設定する空きモードを設定可能とし、顧客の利用状況に応じてこれら撮影モードを切り替えることにより、撮影からプリント出力までの一連の処理に係る設定条件を変更する例を説明する。
【００１５】
まず、構成を説明する。
図１に、本実施形態における写真撮影装置１００の透視図を示す。
図１において、写真撮影装置１００はボックス型に形成されており、その外壁には撮影された写真を取り出す取出口７１が設置されており、ボックス内部（以下、撮影室という）には、被写体Ｍが座れるように椅子Ｃが回転可能に設置されている。なお、椅子Ｃは回転により昇降するように構成されている。さらに、被写体Ｍの上方、正面、背面にはそれぞれ照明用のストロボ２０ａが設置されており、さらに被写体Ｍの正面には、操作手順やその他撮影に関するガイド映像、撮影画像等を表示する表示部４０、操作指示するための操作部６０、被写体Ｍである顧客が撮影室内に入室したことを検出するためのセンサＳ、撮影料金を精算するためのコインメック５０が設置されている。
【００１６】
図２に、写真撮影装置１００の内部構成を示す。
図２に示すように、写真撮影装置１００は、本体部１０、ストロボユニット２０、デジタルカメラ３０、表示部４０、コインメック５０、操作部６０、プリンタ部７０、通信部８０、センサＳを備えて構成される。
【００１７】
本体部１０は、制御部１１、Ｉ／Ｏコントロール１２、ＲＯＭ（Read Only Memory）１３、ＲＡＭ（Random Access Memory）１４、ＤＶＤ（Digital Versatile Disk-R）１５、Ｉ／Ｆ１６から構成され、Ｉ／Ｏコントロール１２を介してストロボユニット２０、コインメック５０、操作部６０に接続されるとともに、Ｉ／Ｆ１６を介してプリンタ部７０に接続される。
【００１８】
制御部１１は、ＲＯＭ１３に格納されるシステムプログラムや本発明に係る撮影処理プログラム（図５参照）、撮影モード設定処理プログラム（図４参照）等の各種プログラムを読み出してＲＡＭ１４に展開し、当該プログラムに従って各部の動作を集中制御する。
【００１９】
撮影処理では、センサＳから顧客の検出情報が入力されると、撮影モード設定処理に移行する。撮影モード設定処理では、前回の顧客の撮影終了から顧客が検出されるまでの経過時間を算出し、その経過時間に基づいて写真撮影装置１００の利用率を判断する。そして、判断された利用率に応じて写真撮影装置１００の撮影モードを設定する。撮影モードとしては、撮影からプリント出力までの一連の処理において撮り直し可能な回数（以下、撮り直しの制限回数という）、顧客による操作指示に対する待ち時間（以下、操作待ち時間という）の設定条件が基本設定条件に設定される通常モード、基本設定条件より撮り直しの制限回数が少なく、操作待ち時間が短く設定される混雑モード、基本設定条件より撮り直しの制限回数が多く、顧客による操作待ち時間が長く設定される空きモードが設定可能であり、予め経過時間と設定する撮影モードとの対応関係が定められているものとする。本実施形態では、制御部１１は、前回からの経過時間が２０分〜６０分の範囲内であれば利用率は通常と判断して通常モードを設定し、２０分に満たない場合は利用率は高いと判断して混雑モードを設定し、６０分を超える場合は利用率が低いとして空きモードを設定する。
【００２０】
すなわち、撮影処理プログラムと制御部１１との協働により、センサＳから入力される検出情報により顧客の撮影室への出入り、つまり利用状況（前回の顧客の撮影終了からの経過時間）を検出する検出手段を実現することができ、さらにその利用状況の情報から写真撮影装置１００の利用率を判断してその利用率に応じた撮影モードを設定することにより、撮影からプリント出力までの一連の処理に係る設定条件を変更する制御手段を実現することができる。
【００２１】
なお、写真撮影装置１００の利用状況の検出方法としては、写真撮影装置１００を利用する際には料金がコインメック５０に投入されるので、この料金投入のタイミングから前回の顧客と今回の顧客との利用間隔を求めることにより、顧客による写真撮影装置１００の利用状況を検出することとしてもよい。
【００２２】
撮影モードが設定されると、撮影モード設定処理を終了して撮影処理に戻り、デジタルカメラ３０による撮影動作を制御して撮影を行わせ、得られた撮影画像に拡大・縮小処理、トリミング処理、色補正等の各種画像処理を施して選択用画像、出力用画像等の処理画像を作成し、顧客により選択された選択用画像に対応する出力用画像をプリンタ部７０によりプリント出力させる。この撮影からプリント出力までの一連の処理において、操作部６０を介して撮り直しが指示された場合は、設定された撮影モードで定められている撮り直しの制限回数以内であればデジタルカメラ３０による撮影を行わせる。また、設定された撮影モードで定められている操作待ち時間が経過しても顧客による選択用画像の選択操作やプリント指示操作等が無い場合は、顧客の操作を待たずに例えば任意の選択用画像を選択する、出力用画像をプリント出力する等、自動的に次の処理に移行する。
【００２３】
Ｉ／Ｏコントロール１２は、本体部１０と、ストロボユニット２０、コインメック５０及び操作部６０と間で情報のやり取りを仲介するインターフェイスであり、制御部１１からの制御信号をストロボユニット２０、コインメック５０に送信するとともに操作部６０からの操作信号を制御部１１に送信する。
【００２４】
ＲＯＭ１３は、システムプログラムの他、撮影処理プログラム、撮影モード設定処理プログラム等の各種制御プログラム及び各プログラムで処理されたデータ等を記憶する。
【００２５】
ＲＡＭ１４は、制御部１１によって実行される各種プログラム及びこれらプログラムに係るデータを一時的に記憶するワークエリアを形成する。また、ＲＡＭ１４は、デジタルカメラ３０により撮影された撮影画像の画像データを一時的に記憶するエリアを有する。
【００２６】
ＤＶＤ１５は、デジタルカメラ３０により撮影された撮影画像（原画像）の画像データを記憶するとともに、制御部１１により各種画像処理が施された処理画像の画像データを記憶する。
【００２７】
Ｉ／Ｆ１６は、本体部１０と、プリンタ部７０との間で情報のやり取りを仲介するインターフェイスであり、プリント対象の出力用画像の画像データを本体部１０からプリンタ部７０へ送信する。
【００２８】
ストロボユニット２０は、制御部１１からの制御信号に従って、写真撮影装置１００の各部に設置されたストロボ２０ａの発光タイミングや発光量を制御する。
【００２９】
デジタルカメラ３０は、光学レンズ、ＣＣＤ（Charge Coupled Device）等の光学センサ、Ａ／Ｄ変換部等から構成される撮影手段であり、光学レンズを介して入力される被写体像を光学センサにより光電変換して画像信号を生成する。そして、Ａ／Ｄ変換部によりアナログ画像信号からデジタル画像データを得て、当該デジタル画像データを本体部１０に出力する。なお、デジタルカメラに替えて動画を記録可能なデジタルビデオカメラを撮影手段として適用することとしてもよい。
【００３０】
表示部４０は、ＬＣＤ（Liquid Crystal Display）等を備えて構成される表示手段であり、制御部１１からの指示に従って、撮影手順を説明するガイド画面、撮影画像をプリント出力するか否かを決定するためのプリント決定画面等の各種操作画面を表示する。
【００３１】
コインメック５０は、硬貨や紙幣の入金口、釣銭返金口等を備えた金銭登録機であり、入金口から入金された金額の情報を制御部１１に出力する。また、制御部１１から指示された金額の硬貨又は紙幣を釣銭返金口に排出する。
【００３２】
操作部６０は、表示部４０と一体に構成されるタッチパネルや、撮影室の内壁に設けられた選択キー、撮影キー等の各種機能キーを備えて構成される操作手段であり、押下されたキーに対応する操作信号を制御部１１に出力する。
【００３３】
プリンタ部７０は、制御部１１から入力された画像データに基づいてプリント出力を行うプリント手段である。本実施形態では、プリンタ部７０のプリント方式として、色材を昇華、転移させて画像を形成する昇華型熱転写方式が適用されていることとするが、記録媒体と受像材料とを重ね合わせて熱を与えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３４】
通信部８０は、ネットワークインターフェイスカード、モデム等の通信用インターフェイスから構成される通信手段であり、通信ネットワーク上の外部機器と相互に情報の送受信を行う。例えば、他の写真撮影装置に画像データを転送してプリント出力させたり、ホストサーバに画像データを転送して画像登録したりすることが可能である。
【００３５】
センサＳは、顧客が撮影室に入室したことを検出するものであり、顧客の入室を検出するとその検出信号を制御部１１に出力する。センサＳとしては、発光器と受光器とからなる光学式センサ等が適用可能である。
【００３６】
次に、本実施形態における写真撮影装置１００の動作について説明する。
図３は、写真撮影装置１００により実行される撮影処理を説明するフローチャートであり、図４は撮影処理のサブルーチンである撮影モード設定処理を説明するフローチャートである。また、図５〜６は撮影処理において表示部４０に表示される操作画面例を示す図である。
【００３７】
図３に示す撮影処理では、まず制御部１１においてセンサＳから入力される検出信号に基づき顧客が撮影室に入室したか否かが判別され（ステップＳ１）、センサＳから検出信号が入力され、顧客が入室したと判別されると（ステップＳ１；Ｙ）、ステップＳ２の撮影モード設定処理に移行する。
【００３８】
図４を参照して、ステップＳ２の撮影モード設定処理について説明する。
図４に示す撮影モード設定処理では、まず前回の顧客の撮影が終了してから次回の顧客の入室までの経過時間が算出される（ステップＳ２１）。次いで、算出された経過時間に基づいて、通常モード、空きモード、混雑モードのうち、一の撮影モードが選択される（ステップＳ２２）。
【００３９】
撮影モードは、前回の顧客の撮影終了からの経過時間が、例えば２０分〜６０分の範囲内であり、写真撮影装置１００の利用率が通常と判断された場合は通常モードが選択され、２０分に満たず写真撮影装置１００の利用率が高いと判断された場合は混雑モードが選択され、６０分を超え、写真撮影装置１００の利用率が低いと判断された場合は空きモードが選択される等、予め空きモード、通常モード、混雑モードの各撮影モードに対応する範囲を設定しておき、撮影モードの選択時には算出された経過時間がどの範囲に該当するかにより写真撮影装置１００の利用率が判断され、撮影モードが選択される。
【００４０】
経過時間に基づいて通常モードが選択された場合（ステップＳ２２；通常モード）、撮影モードとして通常モードが設定され、撮り直しを可能とする制限回数のパラメータａが２回に設定されるとともに、操作待ち時間のパラメータｂが３０秒に設定される（ステップＳ２３）。通常モードが設定されると、次の処理、つまり図３に示すステップＳ３の処理へ移行する。
【００４１】
また、経過時間に基づいて空きモードが選択された場合（ステップＳ２２；空きモード）、撮影モードとして空きモードが設定され、撮り直しの制限回数のパラメータａが３回に設定されるとともに、操作待ち時間のパラメータｂが４０秒に設定される（ステップＳ２４）。空きモードが設定されると、次の処理、つまり図３に示すステップＳ３の処理へ移行する。
【００４２】
一方、経過時間に基づいて混雑モードが選択された場合（ステップＳ２２；混雑モード）、撮影モードとして混雑モードが設定され、撮り直しの制限回数のパラメータａが１回に設定されるとともに、操作待ち時間のパラメータｂが１５秒に設定される（ステップＳ２５）。混雑モードが設定されると、次の処理、つまり図３に示すステップＳ３の処理へ移行する。
【００４３】
撮影モードが設定されると、図３に示すステップＳ３では、表示部４０に開始画面ｍ１（図５（ａ）参照）が表示され、規定料金を投入するようガイダンスが行われる。そして、顧客によりコインメック５０に入金されると、入金された料金金額に応じて制御部１１において釣銭の金額が算出され、釣銭が有る場合はコインメック５０の返金口に釣銭が排出されて、料金の精算が行われる（ステップＳ３）。
【００４４】
料金精算が終了すると、操作部６０を介して入力される操作指示に応じてプリント条件の選択が行われる（ステップＳ４）。まず、表示部４０には条件選択画面ｍ２（図５（ｂ）参照）が表示され、この条件選択画面ｍ２においてプリント写真をカラープリント又は白黒プリントの何れにするかが選択されると、次に条件選択画面ｍ３（図５（ｃ）参照）が表示され、免許証、履歴書、パスポート、大型の４種の写真サイズのうち、顧客が所望する写真サイズの選択が行われる。各条件選択画面ｍ２、ｍ３において顧客により操作部６０を介して選択キーｋ１、ｋ２が操作されると、その選択操作により選択されたプリント条件が設定される。
【００４５】
各プリント条件が設定されると、次にガイド画像ｍ４（図６（ａ）参照）が表示され、撮影ガイダンスが行われる。図６（ａ）に示すように、ガイド画面ｍ４には、撮影時の姿勢や位置等の撮影に関する注意点の説明が表示されるとともに、一回の撮影指示に応じて連続撮影が行われるその連続撮影回数ｍ４１が表示される。また、画面下部には、撮影キーｋ３および撮影の制限時間までのカウント時間ｍ４２が表示される。なお、連続撮影回数や撮影の制限時間は写真撮影装置１００の運用者により任意に設定可能であるとする。そして、このガイド画面ｍ４において、顧客により撮影キーｋ３が操作された、或いは制限時間が経過すると、ストロボユニット２０の制御によりストロボ２０ａにおいて発光が行われ、デジタルカメラ３０において撮影が行われる（ステップＳ５）。撮影は連続撮影回数分だけ自動的に連続撮影することとしてもよいし、その都度撮影キーｋ３の操作指示に応じて連続撮影することとしてもよい。
【００４６】
撮影が終了し、その撮影画像の画像データがデジタルカメラ３０から制御部１１に入力されると、制御部１１では次に表示される画像選択画面用に撮影画像のサイズ調整、トリミング等の画像処理が行われて、選択用画像が作成され、画像選択画面ｍ５（図６（ｂ）参照）上に選択的に表示される（ステップＳ６）。図６（ｂ）に示すように、画像選択画面ｍ５では選択用画像ｍ５１とともに各選択用画像ｍ５１の選択キーｋ４が表示されとともに、撮影のやり直しを指示する撮り直しキーｋ５が表示され、その下部に画像選択の操作待ち時間ｂとして設定された時間までのカウントダウン時間ｍ５２が表示される。この選択操作の待ち時間ｂは、ステップＳ２の撮影モード設定処理において設定された撮影モードによって異なり、例えば通常モードが設定されている場合は３０秒、空きモードが設定されている場合は４０秒、混雑モードが設定されている場合は１５秒である。
【００４７】
この画像選択画面ｍ５では操作部６０による各種キーｋ４、ｋ５の選択操作が待機され、選択操作の有無が判別される（ステップＳ７）。選択操作が有る場合（ステップＳ７；Ｙ）、後述するステップＳ１０の処理に移行し、選択操作が無い場合（ステップＳ７；Ｎ）、選択操作の待ち時間ｂが経過したか否かが判別される（ステップＳ８）。
【００４８】
選択操作の待ち時間ｂが経過していない場合（ステップＳ８；Ｎ）、ステップＳ７の処理に戻って引き続き選択操作の有無が判別され、選択操作の待ち時間ｂが経過した場合（ステップＳ８；Ｙ）、画像選択画面ｍ５において選択的に表示されている複数の選択用画像ｍ５１のうち任意の選択用画像ｍ５１が制御部１１において自動選択される（ステップＳ９）。
【００４９】
次いで、選択された選択用画像ｍ５１に対応する撮影画像に、撮影画像のサイズ調整、トリミング、色補正等のプリント出力用の画像処理が行われて、出力用画像が作成され、プリント決定画面ｍ６（図６（ｃ）参照）上に表示される（ステップＳ１０）。図６（ｃ）に示すように、プリント決定画面ｍ６では作成された出力用画像ｍ６１が表示されるとともに、その出力用画像ｍ６１のプリント出力を指示するプリントキーｋ６及び撮影画像の撮り直しを指示する撮り直しキーｋ７が表示される。
【００５０】
そして、プリント決定画面ｍ６では操作部６０による各キーｋ６、ｋ７の選択操作が待機され、まず撮り直しキーｋ７の操作の有無が判別される（ステップＳ１１）。撮り直しキーｋ７が操作されていない場合（ステップＳ１１；Ｎ）、後述するステップＳ１４の処理に移行する。一方、撮り直しキーｋ７が操作された場合（ステップＳ１１；Ｙ）、現在の撮り直し回数は、撮り直しの制限回数ａ以内であるか否かが判別される（ステップＳ１２）。この撮り直しの制限回数ａは、ステップＳ２の撮影モード設定処理において設定された撮影モードによって異なり、例えば通常モードが設定されている場合は２回、空きモードが設定されている場合は３回、混雑モードが設定されている場合は１回である。
【００５１】
現在の撮り直し回数が撮り直しの制限回数ａ以内である場合（ステップＳ１２；Ｙ）、ステップＳ５の処理に戻り、再度撮影が行われる。一方、現在の撮り直し回数が制限回数ａを超えている場合（ステップＳ１２；Ｎ）、撮り直しはできない旨を通知するメッセージが表示部４０に表示され（ステップＳ１３）、ステップＳ１４の処理に移行する。
【００５２】
ステップＳ１４では、プリントキーｋ６の操作の有無が判別され、プリントキーｋ６が操作された場合（ステップＳ１４；Ｙ）、後述するステップＳ１６の処理に移行し、プリンタ部７０において出力用画像のプリント処理が実行される（ステップＳ１６）。このとき、表示部４０には終了画面ｍ７（図７参照）が表示され、顧客の撮影作業が終了したことが通知されるとともに、プリント写真が取出口７１に排出されるのを待機するようガイダンスが行われる。そして、プリント出力されたプリント写真が取出口７１に排出されると、本処理を終了する。
【００５３】
一方、プリントキーｋ６の操作が無い場合（ステップＳ１４；Ｎ）、プリントキーｋ６又は撮り直しキーｋ７のキー操作の待ち時間ｂが経過したか否かが判別される（ステップＳ１５）。このキー操作の待ち時間ｂは、ステップＳ２の撮影モード設定処理において設定された撮影モードによって異なり、例えば通常モードが設定されている場合は３０秒、空きモードが設定されている場合は４０秒、混雑モードが設定されている場合は１５秒である。
【００５４】
そして、キー操作の待ち時間ｂが経過していない場合（ステップＳ１５；Ｎ）、ステップＳ１１の処理に戻り、引き続きキー操作が待機される。一方、キー操作の待ち時間ｂが経過した場合（ステップＳ１５；Ｙ）、出力用画像のプリント処理に自動的に移行し、プリンタ部７０において出力用画像のプリント出力が行われる（ステップＳ１６）。このとき、表示部４０には終了画面ｍ７（図７参照）が表示され、顧客の撮影作業が終了したことが通知されるとともに、プリント写真が取出口７１に排出されるのを待機するようガイダンスが行われる。プリント出力されたプリント写真が取出口７１に排出されると、本処理を終了する。
【００５５】
以上のように、本実施形態によれば、前回からの撮影間隔から顧客による写真撮影装置１００の利用状況を検出し、撮影間隔が短く利用率が高いと判断されると撮り直しの制限回数ａが通常モードの場合より少なく、操作待ち時間ｂも短い混雑モードを設定し、撮影間隔が長く利用率が低いと判断されると撮り直しの制限回数ａが通常モードの場合より多く、操作待ち時間ｂも長い空きモードを設定する。
【００５６】
その結果、利用率が高い場合には撮影からプリントまでの一連の処理に要する時間を全体として短縮することができ、写真撮影装置１００の稼動率を向上させることができる。従って、写真撮影装置１００の一回分の利用時間を短縮して顧客の待ち時間を低減させることができる。
【００５７】
また、利用率が低い場合には撮り直しや操作待ち時間の制限が緩やかとなるので、顧客は好印象の撮影画像が得られるまで余裕を持って撮影作業を行うことができ、写真撮影装置１００に対する顧客の満足度を向上させることができる。
【００５８】
なお、本実施形態における記述内容は、本発明を適用した写真撮影装置１００の好適な一例であり、これに限定されるものではない。
【００５９】
例えば、上述した説明では、撮影からプリント出力までの一連の処理における設定条件として、撮り直しの制限回数ａや操作指示の待ち時間ｂを変更することとしていたが、変更する設定条件はこれに限らず、例えば図６（ａ）に示すガイド画面ｍ４において撮影指示の操作待ち時間や、連続撮影回数等、他の設定条件を変更することとしてもよい。
また、図６（ｂ）に示す画像選択画面ｍ５又はプリント決定画面ｍ６において、撮り直しが選択された場合、混雑モードの場合は撮影の工程（ステップＳ５）に戻って撮影からやり直し、空きモードの場合はさらに前のプリント条件選択の工程（ステップＳ４）まで戻ってプリント条件の選択からやり直す等、処理工程の条件を変更することとしてもよい。
【００６０】
その他、本実施形態における写真撮影装置１００の細部構成及び細部動作に関しても、本発明の趣旨を逸脱することのない範囲で適宜変更可能である。
【図面の簡単な説明】
【００６１】
【図１】本実施の形態における写真撮影装置１００の透視図である。
【図２】写真撮影装置１００の内部構成を示す図である。
【図３】写真撮影装置１００により実行される撮影処理を説明するフローチャートである。
【図４】撮影処理のサブルーチンである撮影モード設定処理を説明するフローチャートである。
【図５】表示部４０に表示される操作画面例を示す図であり、（ａ）開始画面ｍ１、（ｂ）条件選択画面ｍ２、（ｃ）条件選択画面ｍ３を示す図である。
【図６】表示部４０に表示される操作画面例を示す図であり、（ａ）ガイド画面ｍ４、（ｂ）画像選択画面ｍ５、（ｃ）プリント決定画面ｍ６を示す図である。
【図７】表示部４０に表示される終了画面ｍ７の画面例を示す図である。
【符号の説明】
【００６２】
１００    写真撮影装置
１０    本体部
１１    制御部
１２    Ｉ／Ｏコントロール
１３    ＲＯＭ
１４    ＲＡＭ
１５    ＤＶＤ
１６    Ｉ／Ｆ
２０    ストロボユニット
２０ａ    ストロボ
３０    デジタルカメラ
４０    表示部
５０    コインメック
６０    操作部
７０    プリンタ部
８０    通信部
【図１】
2005301037.tif 000003
【図２】
2005301037.tif 000004
【図３】
2005301037.tif 000005
【図４】
2005301037.tif 000006
【図５】
2005301037.tif 000007
【図６】
2005301037.tif 000008
【図７】
2005301037.tif 000009